(57)【要約】【課題】    イグサや人工イグサの畳表では、イグサ畳表のイグサとイグサの間の目または人工イグサ畳表の人工イグサと人工イグサの間の目に室内犬や猫の糞尿が入り込んでしまう。また、特に、室内犬や猫を室内で飼いながら使用する畳表は、室内犬や猫が暖房器具や薬品を転倒したりするので、畳表単体で消防法に定められた、畳表が着火しにくく、火事の発生をおさえる畳表が必要となる。平織、綾織または不織布の撥水加工をしていない布帛の畳表では室内犬や猫の糞尿などが布帛の畳表に染み込んでしまう。平織、綾織または不織布の防炎加工をしていない布帛の畳表では畳表が着火しやすく、火事の発生をおしやすい。【解決手段】平織、綾織または不織布の布帛に撥水加工、防炎加工または撥水加工と防炎加工をして、その布帛で畳表を作り、その布帛の畳表を畳床に縫い付けた。【選択図】  図３
2005171745.tif 000002
【特許請求の範囲】
【請求項１】
平織、綾織または不織布の布帛に、布帛を撥水加工をして布帛の畳表とし、その布帛の畳表を畳床に縫い付けた、以上のことを特徴とする布帛の畳表を使用した畳。
【請求項２】
平織、綾織または不織布の布帛に、布帛を防炎加工をして布帛の畳表とし、その布帛の畳表を畳床に縫い付けた、以上のことを特徴とする布帛の畳表を使用した畳。
【請求項３】
平織、綾織または不織布の布帛に、布帛を撥水加工と防炎加工をして布帛の畳表とし、その布帛の畳表を畳床に縫い付けた、以上のことを特徴とする布帛の畳表を使用した畳。
【発明の詳細な説明】
【技術分野】
【０００１】  本発明は、室内犬や猫のペットとその飼い主とに最も適合した畳に関する技術分野である。
【背景技術】
【０００２】  犬猫等のペットが人間のパートナーとして重要になり、特に、犬猫等のペットが老人のボケ予防に大変に重要になってきた。人間と犬猫等がうまく共存することが重要な課題になり、住居の問題として、従来の畳において、洗浄水により丸洗いし容易に乾燥できる人工畳（例えば、特許文献１参照。）がある。熱可塑性樹脂を用いた脹れを生じにくい畳表（例えば、特許文献２参照。）がある。従来のイグサ畳表において、イグサとイグサの間の目または人工イグサ畳表の人工イグサと人工イグサの間の目に室内犬や猫の糞尿などがに入り込んでしまう。イグサ畳表のイグサとイグサの間の目または人工イグサ畳表の人工イグサと人工イグサの間の目に入り込んでしまった室内犬や猫の糞尿などを、洗浄水で畳を丸洗いし、畳に付着した糞尿の洗浄が出来る事も大切だが、畳の丸洗い洗浄は大変に大掛かりであり、畳の丸洗い洗浄は人にとって大変に大仕事である。しかし、防水シートを使用した畳表では、空気中の湿度を環境の良い状態に保持するなどの畳床の有益な特性が殺されてしまう。また、布帛を用いた畳表（例えば、特許文献３参照。）がある。しかし、この畳表（例えば、特許文献３参照。）は撥水加工をしていないので、室内犬や猫の糞尿などが布帛の畳表に染み込んでしまう。加えて、この畳表（例えば、特許文献３参照。）は防炎加工をしていない。畳表単体で消防法に定められた、畳表が着火しにくく、火事の発生をおさえる畳表が必要である。老人が室内で室内犬や猫を飼うには、室内犬や猫が石油ストーブなどを倒しての火事や老人のタバコの火による火事を考えると、布帛の畳表は防炎加工が絶対に必要である。
【特許文献１】  特開２００１−２２７１４２号公報
【特許文献２】  特開２００２−００４５５３号公報
【特許文献３】  特開２００１−０８１６４９号公報
【発明の開示】
【発明が解決しようとする課題】
【０００３】  イグサや人工イグサの畳表では、イグサ畳表のイグサとイグサの間の目または人工イグサ畳表の人工イグサと人工イグサの間の目に室内犬や猫の糞尿が入り込んでしまう。【０００４】  また、特に、室内犬や猫を室内で飼いながら使用する畳表は、室内犬や猫が暖房器具や薬品を転倒したりするので、畳表単体で消防法に定められた、畳表が着火しにくく、火事の発生をおさえる畳表が必要となる。【０００５】  平織、綾織または不織布の撥水加工をしていない布帛の畳表では室内犬や猫の糞尿などが布帛の畳表に染み込んでしまう。平織、綾織または不織布の防炎加工をしていない布帛の畳表では畳表が着火しやすく、火事が発生しやすい。
【課題を解決するための手段】
【０００６】  平織、綾織または不織布の布帛に撥水加工、防炎加工または撥水加工と防炎加工をして、その布帛で畳表を作り、その布帛の畳表を畳床に縫い付ける。
【発明の効果】
【０００７】  撥水加工と防炎加工をした平織、綾織または不織布で布帛の畳表を作るので、畳表のイグサとイグサの間の目に室内犬や猫の糞尿が入り込むことがなく、畳が汚れにくく、畳表に着火しにくいので、火事が発生しにくい。【０００８】  また、撥水加工と防炎加工をした平織、綾織または不織布で布帛の畳表は介護用の畳表や居酒屋の店舗用の畳表としても使うと、畳表が汚れにくく、火事の発生がおきにくく、この畳表は大変に便利である。
【発明の実施するための最良の形態】
【０００９】  発明の実施するための最良の形態を図面を参照して説明する。
図１において、平織、綾織または不織布の布帛Ａに、布帛Ａを撥水加工ｄをして布帛Ａの畳表Ｄとし、その布帛Ａの畳表Ｄを畳床Ｇに縫い付けた、以上のことを特徴とする布帛の畳表を使用した畳である。
【００１０】  図２において、平織、綾織または不織布の布帛Ｂに、布帛Ｂを防炎加工ｅをして布帛Ｂの畳表Ｅとし、その布帛Ｂの畳表Ｅを畳床Ｇに縫い付けた、以上のことを特徴とする布帛の畳表を使用した畳である。
【００１１】  図３において、平織、綾織または不織布の布帛Ｃに、布帛Ｃを撥水加工ｄと防炎加工ｅをして布帛Ｃの畳表Ｆとし、その布帛Ｃの畳表Ｆを畳床Ｇに縫い付けた、以上のことを特徴とする布帛の畳表を使用した畳である。
【実施例１】
【００１２】  発明の実施例を図面参照して説明する。
図１において、不織布の化学繊維の布帛に、スルフォン化ビスフェノールＳのホルマリン縮合物を付与した後、フッ素系撥水剤、メラミン樹脂および多官能ブロックドイソシアネート基含有ウレタン樹脂を混合した処理液を付与し熱処理した撥水加工をして、その撥水加工の布帛を使い畳表を作り、その布帛を使った畳表を畳床に縫い付けた、以上のことを特徴とする布帛の畳表を使用した畳である。
【実施例２】
【００１３】  図１において、平織の化学繊維の布帛に、布帛に撥水樹脂と架橋剤を含む樹脂液を均一に付与した後、乾燥工程において布帛の片面から加熱することにより、樹脂液のマイグレーションを生ぜしめて撥水樹脂を布帛の表面に移行させ、樹脂固定した撥水加工をして、その撥水加工ｄの布帛を使い畳表を作り、その布帛を使った畳表Ｄを畳床Ｇに縫い付けた、以上のことを特徴とする布帛の畳表を使用した畳である。
【実施例３】
【００１４】  図２において、綾織のセルロース系繊維の布帛に、水溶性エマルジョンタイプの柔軟剤で前処理を行い、しかる後にジアルキルフオスフオノカルボキシリツク酸アミドを主成分とする水溶液で防炎加工をして、その防炎加工の布帛を使い畳表を作り、その布帛を使った畳表を畳床に縫い付けた、以上のことを特徴とする布帛の畳表を使用した畳である。
【実施例４】
【００１５】  図２において、不織布のセルロース系繊維の布帛に、Ｎ−メチロールジアルキルフオスフオノカルボキシリツク酸アミドを主成分とする水溶液で防炎加工を行うに際して、該水溶液に平均分子量２００〜２０，０００のポリエチレングリコールおよび２種類以上の有機酸を併用して防炎加工をして、その防炎加工の布帛を使い畳表を作り、その防炎加工の布帛を使った畳表を畳床に縫い付けた、以上のことを特徴とする布帛の畳表を使用した畳である。
【実施例５】
【００１６】  図３において、平織の化学繊維の布帛に、布帛の表面は、スルフォン化ビスフェノールＳのホルマリン縮合物を付与した後、フッ素系撥水剤、メラミン樹脂および多官能ブロックドイソシアネート基含有ウレタン樹脂を混合した処理液を付与し熱処理して、布帛の表面を撥水加工して、および、布帛の裏面は、水溶性エマルジョンタイプの柔軟剤で前処理を行い、しかる後にジアルキルフオスフオノカルボキシリツク酸アミドを主成分とする水溶液で布帛の裏面を防炎加工をして、よって、布帛の表面を撥水加工と布帛の裏面を防炎加工をして布帛の畳表を作り、その布帛の畳表を畳床に縫い付けた、以上のことを特徴とする布帛の畳表を使用した畳である。
【実施例６】
【００１７】  図３において、綾織のセルロース系繊維の布帛に、布帛の表面は、布帛に撥水樹脂と架橋剤を含む樹脂液を均一に付与した後、乾燥工程において布帛の片面から加熱することにより、樹脂液のマイグレーションを生ぜしめて撥水樹脂を布帛の表面に移行させ、樹脂固定した撥水加工をして、および、布帛の裏面は、Ｎ−メチロールジアルキルフオスフオノカルボキシリツク酸アミドを主成分とする水溶液で防炎加工を行うに際して、該水溶液に平均分子量２００〜２０，０００のポリエチレングリコールおよび２種類以上の有機酸を併用して防炎加工をして、よって、布帛の表面を撥水加工と布帛の裏面を防炎加工をして布帛の畳表を作り、その布帛の畳表を畳床に縫い付けた、以上のことを特徴とする布帛の畳表を使用した畳である。
【産業上の利用可能性】
【００１８】  熊本県八代市の発表では、平成１１年の全国畳表生産量は２８，２１９，０００枚である。全国畳表生産量は毎年少しずつ減少し、今年度は、約２５，０００，０００枚と推定できる。本願の畳の販売量は、発売から３年目は全国畳表生産量の０．１％とし、発売から１０年目に全国畳表生産量の１．０％とする。売値は１枚、１５，０００円とすると、発売から３年目の本願の畳の総売上は、３億７千５百万円である。発売から１０年目の本願の畳の総売上は、３７億５千万円である。
【図面の簡単な説明】
【００１９】
【図１】実施例の布製の畳表を使用した畳の断面図。
【図２】実施例の布製の畳表を使用した畳の断面図。
【図３】実施例の布製の畳表を使用した畳の断面図。
【符号の説明】
【００２０】  Ａ：撥水加工ｄをした布帛
Ｂ：防炎加工ｅをした布帛
Ｃ：撥水加工ｄと防炎加工ｅをした布帛
Ｄ：撥水加工ｄをした布帛Ａの畳表
Ｅ：防炎加工ｅをした布帛Ｂの畳表
Ｆ：撥水加工ｄと防炎加工ｅをした布帛Ｃの畳表
Ｇ：畳床
ｄ：撥水加工
ｅ：防炎加工
【図１】
2005171745.tif 000003
【図２】
2005171745.tif 000004
【図３】
2005171745.tif 000005
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
平織、綾織または不織布の布帛に、布帛を撥水加工と防炎加工をして布帛の畳表とし、その布帛の畳表を畳床に縫い付けた、以上のことを特徴とする布帛の畳表を使用した畳。